【手続補正書】
【提出日】平成20年3月11日(2008.3.11)
【手続補正１】
【補正対象書類名】明細書
【補正対象項目名】特許請求の範囲
【補正方法】変更
【補正の内容】
【特許請求の範囲】
【請求項１】  素材のめっきを施した表面にマスキングを施した後、その上からレーザーマーキングでマスキングを貫通し、且つ、めっき層の範囲内で表面に凹部または凹凸部を形成し、その上からインキまたは塗料で色付けした後にマスキングを取り除くことで、レーザーマーキングの形状と略同一形状の色付けすることを特徴とするマークの表示方法。
【請求項２】  前記マスキングの材質として、アルミ、ステンレス、ニッケル、銀等の金属類、エンビ、ポリエステル、アクリル等の樹脂類、和紙、洋紙等の紙類等、その他レーザー加工で貫通して下地の表面に凹部または凹凸部を形成できるものを使用し、上記マスキング材質をフィルム状にして、アクリルやエポキシその他の粘着剤を付けて、シートやテープ状にしたものを使用することを特徴とする請求項１に記載のマークの表示方法。
【請求項３】  前記樹脂類のマスキング材質で、樹脂類の場合に水やアルカリ溶液に溶けるレジストインキや塗料を使用することを特徴とする請求項２に記載のマークの表示方法。
【請求項４】   請求項１から３のいずれかの方法で、任意の文字、図柄を色付けして表示した水栓器具製品。
【手続補正２】
【補正対象書類名】明細書
【補正対象項目名】０００７
【補正方法】変更
【補正の内容】
【０００７】
【課題を解決するための手段】
上記目的を達成するために請求項１は、素材のめっきを施した表面にマスキングを施した後、その上からレーザーマーキングでマスキングを貫通し、且つ、めっき層の範囲内で表面に凹部または凹凸部を形成し、その上からインキまたは塗料で色付けした後にマスキングを取り除くことで、レーザーマーキングの形状と略同一形状の色付けすることを特徴とする。
【手続補正３】
【補正対象書類名】明細書
【補正対象項目名】０００８
【補正方法】変更
【補正の内容】
【０００８】
この方法により、レーザーマーキングと色付けの形状合わせや位置ずれの問題がなくなる。また、色付け後にマスキングを剥がすので、マスキング部へのインキや塗装等が付着しても問題がないので、色付けする方法を選定することができ、作業性も格段に向上し、コスト低減も可能となる。
また、レーザーマーキングによる凹部の形成範囲をめっき層の範囲としながら、色付けの厚さはマスキングの厚さで制御することが可能となる。
【手続補正４】
【補正対象書類名】明細書
【補正対象項目名】０００９
【補正方法】変更
【補正の内容】
【０００９】
請求項２は、前記マスキングの材質として、アルミ、ステンレス、ニッケル、銀等の金属類、エンビ、ポリエステル、アクリル等の樹脂類、和紙、洋紙等の紙類等、その他レーザー加工で貫通して下地の表面に凹部または凹凸部を形成できるものを使用し、上記マスキング材質をフィルム状にして、アクリルやエポキシその他の粘着剤を付けて、シートやテープ状にしたものを使用することを特徴とする。
【手続補正５】
【補正対象書類名】明細書
【補正対象項目名】００１０
【補正方法】変更
【補正の内容】
【００１０】
この方法により、レーザーマーキングと色付けの形状合わせや位置ずれの問題がなくなる。また、色付け後にマスキングを剥がすので、マスキング部へのインキや塗装等が付着しても問題がないので、色付けする方法を選定することができ、作業性も格段に向上し、コスト低減も可能となる。
【手続補正６】
【補正対象書類名】明細書
【補正対象項目名】００１１
【補正方法】変更
【補正の内容】
【００１１】
請求項３は、前記樹脂類のマスキング材質で、樹脂類の場合に水やアルカリ溶液に溶けるレジストインキや塗料を使用することを特徴とする。
【手続補正７】
【補正対象書類名】明細書
【補正対象項目名】００１２
【補正方法】変更
【補正の内容】
【００１２】
従って、レジストインキや塗料等を塗付したり印刷する方法を選択することにより、目的、用途に応じてマスキングの厚さを自由に変えることができ、マークのバリエーションが増やせる。
【手続補正８】
【補正対象書類名】明細書
【補正対象項目名】００１３
【補正方法】変更
【補正の内容】
【００１３】
また、請求項４に示すように、請求項１から３の方法は、水栓器具製品に任意の文字、図柄を色付けして表示するために適用できる。
【手続補正９】
【補正対象書類名】明細書
【補正対象項目名】００１５
【補正方法】変更
【補正の内容】
【００１５】
本発明では、まず表示の目的と用途により、レーザーマーキングの加工条件と色付けの方法を決定する。レーザーマーキングで０．１〜１．０ｍｍ程度の深さの凹部を形成した後に、インキや塗料を流し込むか刷け塗り等の方法が良い。レーザーマーキングで凹部の深さは任意の深さで良く、色付けの厚さを任意に設定したい場合には、マスキングを使用して色付けを行う。レーザーマーキングの深さは目的に応じてその深さを設定し、色付けを厚くしたい場合は、マスキングを厚くしインキや塗料を流し込むか刷け塗り等の方法を選定し、色付けが薄くて良い場合は、マスキングを薄くし刷け塗りやべた印刷等の方法を選定すると良い。いずれの場合においても、必要とされる凹部の深さはレーザーマーキングの加工条件で、色付けの厚さはマスキングの厚さで制御することが可能となり、目的に合わせた組み合わせが自由に選定できるようになる。
【手続補正１０】
【補正対象書類名】明細書
【補正対象項目名】００１９
【補正方法】変更
【補正の内容】
【００１９】
参考例１ 
めっきしたスパウトの先端上面部に、図１の図柄をレーザーマーキング加工した。レーザーマーキング装置は、（株）東芝製のＹＡＧレーザマーカ ＬＡＹ−７２４ＣＣ−１ＡＢ形を使用し、マーキングの加工条件は、Ｑ−ＳＷが２ＫＨz、電流値が１８Ａ、マーキング速度が１０００ｍｍ／Ｓ、マーク幅が１ｍｍ、ピッチ０．０２ｍｍで実施しの後、インキを流し込んで表示を完成した。レーザーマーキングでのマークの深さは０．１〜０．２ｍｍ程度の深さで凹状に加工されており、色付けされたマークの評価結果、一次、二次の密着性、耐摩耗性とも問題はなかった。マーク部の断面を図２に示す。
【手続補正１１】
【補正対象書類名】明細書
【補正対象項目名】００２０
【補正方法】変更
【補正の内容】
【００２０】
参考例２
上記実施例１のレーザーマーキングの加工条件を変えて、色付けの方法を印刷に変えて実施した。マーキングの加工条件は、Ｑ−ＳＷが２ＫＨz、電流値が１４Ａ、マーキング速度が２００ｍｍ／Ｓで実施の後、レーザーのマーク位置に合わせて同じマークを位置がずれないように調整して印刷を実施した。レーザーマーキングでのマークの深さは２〜５μｍ程度の深さで凹凸状に加工されており、色付けされたマークの評価結果、一次、二次の密着性とも問題はなく、耐摩耗性も印刷のみの場合の数倍以上は確保されており問題はなかった。マーク部の断面を図３に示す。
【手続補正１２】
【補正対象書類名】明細書
【補正対象項目名】００２１
【補正方法】変更
【補正の内容】
【００２１】
実施例１
上記参考例１にマスキングを追加し、レーザーマーキングの加工条件を変えて実施した。マスキングはエンビに粘着剤を貼ったシートで厚さが０．１２ｍｍのものを使用し、マーキングの加工条件は、Ｑ−ＳＷが２ＫＨz、電流値が１６、マーキング速度が２００ｍｍ／Ｓで実施の後、インキを流し込みした後にマスキングを剥がして表示を完成した。レーザーマーキングでのマークの深さはマスキングを貫通して下地の表面から２〜５μｍ程度の深さに凹凸状に加工されており、色付けされたマークの評価結果、一次、二次の密着性、耐摩耗性とも問題はなかった。マスキングを剥がす前のマーク部の断面を図４に示す。
【手続補正１３】
【補正対象書類名】明細書
【補正対象項目名】００２２
【補正方法】変更
【補正の内容】
【００２２】
実施例２
上記実施例１のマスキングを変えて、色付けの方法を印刷に変えて実施した。マスキングはアルミに粘着剤を貼ったテープで厚さが０．０８ｍｍのものを使用し、マーキングの加工条件は、Ｑ−ＳＷが２ＫＨz、電流値が１６、マーキング速度が２００ｍｍ／Ｓで実施の後、インキをべた印刷した後にマスキングを剥がして表示を完成した。レーザーマーキングでのマークの深さはマスキングを貫通して下地の表面から２〜５μｍ程度の深さに凹凸状に加工されており、色付けされたマークの評価結果は実施例１と同様に、一次、二次の密着性、耐摩耗性とも問題はなかった。実施例１，２からマスキングのテープ厚としては、０．０１〜１ｍｍが好ましい。
【手続補正１４】
【補正対象書類名】明細書
【補正対象項目名】００２３
【補正方法】変更
【補正の内容】
【００２３】
実施例３
上記実施例１のマスキングをアクリル樹脂系のアルカリはく離型レジスト塗料に変えて、色付けの方法を刷け塗りに変えて実施した。マスキングの塗料を厚さ１０〜２０μｍ程度に刷け塗りして乾燥した後、マーキングの加工条件は、Ｑ−ＳＷが２ＫＨz、電流値が１６、マーキング速度が２００ｍｍ／Ｓで実施の後、インキを塗付した後にマスキングを水酸化ナトリウム３％水溶液で剥がして表示を完成した。レーザーマーキングでのマークの深さはマスキングを貫通して下地の表面から２〜５μｍ程度の深さに凹凸状に加工されており、色付けされたマークの評価結果は実施例１と同様に、一次、二次の密着性、耐摩耗性とも問題はなかった。
【手続補正１５】
【補正対象書類名】明細書
【補正対象項目名】図面の簡単な説明
【補正方法】変更
【補正の内容】
【図面の簡単な説明】
【図１】  本発明実施例のマーク書体の図である。
【図２】  参考例１のマーク部の断面図である。
【図３】  参考例２のマーク部の断面図である。
【図４】  本発明実施例１のマーク部の断面図である。
【符号の説明】
１…素材  
２…ニッケルめっき層  
３…クロムめっき層  
４…インキ層  
５…マスキング層